(57)【要約】【課題】新郎新婦席から当人が離れた際の新郎新婦席の空虚感をなくし、かつ、新郎新婦席に当人が座っているときの新郎新婦席の演出状態を本来のままに維持することである。【解決手段】新郎新婦席１の背面側に配置された表示面１２に、新郎新婦両名に代わる人物像２０を表示しておき、この表示面を、新郎新婦席の少なくとも一方に当人が座っているときは、座っている当人の陰になるようにし、新郎新婦席の少なくとも一方から当人が離れたときは、離れた当人の人物像が披露宴席から見えるようにする。【選択図】図２
2015231465.tif 000002
【特許請求の範囲】
【請求項１】
結婚披露宴の演出方法であって、
新郎新婦席の背面側に配置された表示面に、新郎新婦両名に代わる人物像を表示しておき、この表示面を、新郎新婦席の少なくとも一方に当人が座っているときは、座っている当人の陰になるようにし、新郎新婦席の少なくとも一方から当人が離れたときは、離れた当人の人物像が披露宴席から見えるようにする結婚披露宴の演出方法。
【請求項２】
結婚披露宴の演出方法であって、
新郎新婦席の背面側に配置された表示面に、新郎新婦両名に代わる人物像を非表示状態で描写しておき、新郎新婦席の少なくとも一方に当人が座っているときは、座っている当人の人物像を非表示状態のままに保ち、新郎新婦席の少なくとも一方から当人が離れたときは、離れた当人の人物像を表示状態にして披露宴席から見えるようにする結婚披露宴の演出方法。
【発明の詳細な説明】
【技術分野】
【０００１】
本発明は、結婚披露宴の演出方法に関する。詳しくは、結婚披露宴において新郎新婦席の背面側に配置される例えば金屏風といった背景による新郎新婦席の演出方法に関する。
【背景技術】
【０００２】
一般に、新郎新婦席の背景は、新郎新婦の出で立ちに合わせている。特許文献１に開示された結婚披露宴の演出方法においては、新郎新婦席の背面側に複数種の背景面を前後に並べて配置している。そして、これらの背景面を前方側から順次取り去ることで、新郎新婦のお色直しに合わせて新郎新婦席の背景を変更できる。
【先行技術文献】
【特許文献】
【０００３】
【特許文献１】特開２００２−９６９号公報
【発明の概要】
【発明が解決しようとする課題】
【０００４】
お色直しで新郎新婦席から当人が離れると、新郎新婦席に空虚感が生じる。この空虚感をなくすために例えば新郎新婦席の背景を華美にすると、新郎新婦の出で立ちとの対応がとれなくなる。その結果、新郎新婦席に当人が座っているときの新郎新婦席の演出状態が崩れる。そこで、特許文献１の技術を利用して新郎新婦席から当人が離れたときにのみ背景を華美なものに変更したとしても、背景を単に華美にしたたけでは当人に代わる雰囲気を演出するには至らず、新郎新婦席の空虚感を埋められない。
【０００５】
本発明は、このような課題を解決しようとするものであって、その目的は、新郎新婦席から当人が離れた際の新郎新婦席の空虚感をなくし、かつ、新郎新婦席に当人が座っているときの新郎新婦席の演出状態を本来のままに維持することである。
【課題を解決するための手段】
【０００６】
本発明は、上記の目的を達成するためのもので、以下のように構成されている。
【０００７】
本発明の結婚披露宴の演出方法では、新郎新婦席の背面側に配置された表示面に、新郎新婦両名に代わる人物像を表示しておき、この表示面を、新郎新婦席の少なくとも一方に当人が座っているときは、座っている当人の陰になるようにし、新郎新婦席の少なくとも一方から当人が離れたときは、離れた当人の人物像が披露宴席から見えるようにする。
【０００８】
また、本発明の結婚披露宴の演出方法では、新郎新婦席の背面側に配置された表示面に、新郎新婦両名に代わる人物像を非表示状態で描写しておき、新郎新婦席の少なくとも一方に当人が座っているときは、座っている当人の人物像を非表示状態のままに保ち、新郎新婦席の少なくとも一方から当人が離れたときは、離れた当人の人物像を表示状態にして披露宴席から見えるようにする。
【０００９】
また、本発明の結婚披露宴の演出方法では、新郎新婦席の背面側に配置された表示面に対して新郎新婦両名に代わる人物映像を投影することのできる投影手段により、新郎新婦席の少なくとも一方から当人が離れたときに、離れた当人の人物映像をその背面側の表示面に投影する。
【発明の効果】
【００１０】
本発明によれば、新郎新婦席から当人が離れた際には、その当人の人物像が披露宴席から見えることで新郎新婦席に空虚感が生じることがなく、かつ、新郎新婦席に当人が座っているときには、人物像が隠れることで該人物像が新郎新婦席の背景の構成に影響することがなく、新郎新婦席の本来の演出状態が維持される。
【００１１】
また、本発明によれば、新郎新婦席から当人が離れたときにだけその当人の人物像を表示面に投影することにより無駄な投影を避け、また、空席となった新郎新婦席の背面側の表示面に人物映像を投影するため、例えば新郎新婦席の真正面から人物映像を投影することも可能であり、投影手段となる機材の設置位置の自由度が広がる。
【図面の簡単な説明】
【００１２】
【図１】結婚披露宴の開始状態を表した新郎新婦席の正面図。
【図２】新郎新婦が新郎新婦席から離れた状態を表した新郎新婦席の正面図。
【図３】表示体の背面図。
【図４】表示体の側面図。
【発明を実施するための形態】
【００１３】
以下、本発明を実施するための形態を、図面を用いて説明する。図１に示す結婚披露宴の開始状態においては、新郎新婦席１の背景をつぎのようにセットしている。新郎新婦席１の背面側には、表示体１０を設けている。表示体１０は、図１の左右方向に計４個並べて配置している。これらの表示体１０を説明するとき、それらの個々については中央の２つをメイン表示体１０Ａ、両脇の２つをサブ表示体１０Ｂとして区別し、これらを総称するときには表示体１０として説明する。なお、各メイン表示体１０Ａは、新郎新婦５０の個々の座席に対応させて配置している。
【００１４】
表示体１０は、新郎新婦席１の背景を表示するための表示面１２と、表示面１２のスタンドとなる本体１４とを備えた自立型スクリーン装置である（図３,４参照）。表示面１２には、その上下の両縁に沿って硬質の支持バーＢが取付けられている。本体１４は、上下方向に伸縮可能な支柱１４ａと、支柱１４ａの両端部に個々に設けられた支持アーム１４ｂとを備えている。各支持アーム１４ｂは、表示面１２を上下方向に張った状態で各支持バーＢを個別に支持している。表示面１２は披露宴席と対向させている。
【００１５】
各メイン表示体１０Ａの表示面１２には、新郎新婦５０（図１参照）の写真をプリントする等による人物像２０が当人の座席と対応させて個別に描写してある（図２参照）。人物像２０は、飾りの文字列２０ａを含んで構成されている。
【００１６】
各人物像２０は、新郎新婦席１の少なくとも一方に当人が座っているときは、座っている当人の陰になり、新郎新婦席１の少なくとも一方から当人が離れたときは、座席から離れた当人の人物像２０が披露宴席から見える位置に配置している。
【００１７】
各人物像２０は、例えば紙を素材とした背景シートＳで被っている（図１参照）。これによって、各人物像２０は非表示状態とされている。背景シートＳは、例えば貼り付けと剥ぎ取りとが可能ないわゆる再剥離性に優れた粘着剤によって、表示面１２に密着させている。
【００１８】
以上のように新郎新婦席１の背景がセットされた状態で、結婚披露宴が開始される（図１参照）。結婚披露宴の途中において例えばお色直しで新郎新婦席１から当人が離れる際、対応する背景シートＳをメイン表示体１０Ａの表示面１２から剥ぎ取るセレモニーを行う。すると、当人に代わる人物像２０が表示面１２に表示される（図２参照）。この剥ぎ取りセレモニーを行うことで、人物像２０への注目が促され、人物像２０の表示効果が高まる。この後、新郎新婦席１から当人が離れている間においては、その当人の人物像２０が披露宴席から見えることで、新郎新婦席１には空虚感が生じない。
【００１９】
なお、上述の剥ぎ取りセレモニーは、新郎新婦席１から当人が離れるタイミングに合わせて各人物像２０に関してまとめて一度に、もしくは、個別に行う。それに応じて、各人物像２０は同時もしくは個別に表示状態とされる。
【００２０】
新郎新婦席１に当人が戻ると、人物像２０は新郎新婦席１に座った当人の陰になる。そのため、この後、新郎新婦席１に当人が座っている間、人物像２０は新郎新婦席１の背景の構成に影響することがない。したがって、新郎新婦席１は本来の演出状態が維持される。
【００２１】
なお、新郎新婦席１に当人が座った状態であっても、新郎新婦席１に対する披露宴席の位置によっては人物像２０が当人の陰から食み出して見えてしまうこともある。この場合には、例えば、背景シートＳで人物像２０を被って、人物像２０を非表示状態とする。これによって、新郎新婦席１は本来の演出状態が維持される。
【００２２】
以上は本発明を実施するための最良の形態を図面に関連して説明したが、この実施の形態は本発明の趣旨から逸脱しない範囲で容易に変更できるものである。表示体１０は自立型スクリーン装置に限定されるものではなく、表示面１２となる面を有する構成であればどのようなものでもよく、例えばパネルでもよい。表示体１０の個数は４つに限定されるものではなく、表示面１２が新郎新婦５０の個々の座席の背面側に配置されていればいくつであってもよい。また、表示体１０は図１,２に示すように複数個に分割されていなくてもよい。
【００２３】
背景シートＳの素材は紙に限定されるものではなく、例えば布やプラスチックでもよい。背景シートＳを表示面１２に密着させる手段は粘着剤に限定されるものではなく、例えば再剥離性に優れた両面テープでもよい。背景シートＳは、例えばマグネットといった留め手段によって表示面１２に対して取り外し可能な状態で留めてもよい。なお、メイン表示体１０Ａの表示面１２を背景シートＳで被った状態にセットするのをやめ、結婚披露宴の開始から常時、該表示面１２を露出させて人物像２０を表示してもよい。
【００２４】
人物像２０は、写真に限定されるものではなく、例えば新郎新婦５０の絵でもよい。人物像２０は、それに対応する人物映像を例えばプロジェクタや映写機といった投影手段によって表示面１２に投影してもよく、また、この人物映像を例えばホログラム装置といった投影手段によって表示面１２の前に立体映像として投影してもよい。なお、新郎新婦席１から当人が離れたときのみ人物映像を投影すれば、無駄な投影が避けられ、また、空席となった新郎新婦席１の背面側の表示面１２に人物映像を投影するため、例えば新郎新婦席１の真正面から人物映像を投影することも可能であり、投影手段となる機材の設置位置の自由度が広がる。
【符号の説明】
【００２５】
１     新郎新婦席
１０   表示体
１２   表示面
２０   人物像
５０   新郎新婦
【図１】
2015231465.tif 000003
【図２】
2015231465.tif 000004
【図３】
2015231465.tif 000005
【図４】
2015231465.tif 000006